(57)【要約】  本発明は、濡れた履物から水を除去するための棚と履物ラックに関する。この棚は、水を流すようにするガター（ｇｕｔｔｅｒ）を含む。棚は、ガターの一方に沿って配置された前方履物据え置き面、およびガターの他方に沿って配置された後方履物据え置き面をさらに含んでもよい。棚は、ガターの最低区間に形成され、棚の貫通チャネルを形成する排水口をさらに含んでもよい。【選択図】図１
2020506024.tif 000002
【特許請求の範囲】
【請求項１】
濡れた履物から水を除去するための棚であって、
水を流すためのガター、
ガターの一方に沿って配置された前方履物据え置き面、
ガターの他方に沿って配置された後方履物据え置き面、および
ガターの最低区間に形成され、棚の貫通チャネルを形成する排水口
を含むことを特徴とする棚。
【請求項２】
前記ガターが前方履物据え置き面に対してガターの長さに沿って傾いていることを特徴とする、請求項１に記載の棚。
【請求項３】
前記ガターが後方履物据え置き面に対してガターの長さに沿って傾いていることを特徴とする、請求項１に記載の棚。
【請求項４】
前記ガターが前後方履物据え置き面に対してガターの長さに沿って傾いていることを特徴とする、請求項１に記載の棚。
【請求項５】
前記ガターが、長さの一区間に沿って一方向に傾き、長さの他区間に沿って他方向に傾いていることを特徴とする、請求項１に記載の棚。
【請求項６】
前記前後方履物据え置き面がガターに向かった内側傾斜面を形成することを特徴とする、請求項１に記載の棚。
【請求項７】
前記前後方履物据え置き面がガターの両側で対称であることを特徴とする、請求項１に記載の棚。
【請求項８】
前記前方履物据え置き面が後方履物据え置き面より狭いことを特徴とする、請求項１に記載の棚。
【請求項９】
前記前方履物据え置き面が壁面に棚を固定するための固定手段を含むことを特徴とする、請求項１に記載の棚。
【請求項１０】
対応の受け入れ機構を備えた１対の側面脚に棚を付着するための付着手段をさらに含むことを特徴とする、請求項１に記載の棚。
【請求項１１】
水を集めるために排水口の下に位置するレセプタクルをさらに含むことを特徴とする、請求項１に記載の棚。
【請求項１２】
前記排水口の下に棚の下部にレセプタクルを固定するための固定機構をさらに含むことを特徴とする、請求項１１に記載の棚。
【請求項１３】
前記レセプタクルと前記固定機構がネジ結合することを特徴とする、請求項１２に記載の棚。
【請求項１４】
前記レセプタクルが上端部に突起を有し、固定機構がレセプタクルの突起にスライド結合することを特徴とする、請求項１２に記載の棚。
【請求項１５】
２個以上の脚と、濡れた履物から水を取り出すための一つ以上の棚と、を含む履物ラックであって、
各々の棚が、
水を流すためのガター、
ガターの一方に沿って配置された前方履物据え置き面、
ガターの他方に沿って配置された後方履物据え置き面、および
ガターの最低区間に形成され、棚の貫通チャネルを形成する排水口
を含むことを特徴とする履物ラック。
【請求項１６】
前記棚が長さ方向に延長可能であることを特徴とする、請求項１５に記載の履物ラック。
【請求項１７】
前記前方履物据え置き面がその長さに沿って後方履物据え置き面より狭いことを特徴とする、請求項１５に記載の履物ラック。
【請求項１８】
前記前後方履物据え置き面がガターに向かった内側傾斜面を形成することを特徴とする、請求項１５に記載の履物ラック。
【請求項１９】
前記脚のうち少なくとも一つは、中空チャネルを形成し、下端部に着脱式レセプタクルを備え、排水口を通して排出された水が前記中空チャネルに向かうことを特徴とする、請求項１５に記載の履物ラック。
【発明の詳細な説明】
【技術分野】
【０００１】
本発明は、履物用の棚とラック分野に関し、具体的には、濡れた履物から水を除去するための棚と履物ラックに関する。
【背景技術】
【０００２】
濡れた履物の保管と乾燥は家庭と事業場で問題になる。雪で覆われた履物を履いて家や事業場に入らなければならない冬季にさらに問題になり、これは雪が溶けて水と砂と土などが室内にできるためである。
【０００３】
この問題を解決するために、ブーツプラター（ｂｏｏｔ  ｐｌａｔｔｅｒ）を用いる場合が多く、プラターは水を集めて乾燥させるためにブーツが置かれる皿のようなものである。ブーツプラターは、ゴムからなることが多く、乾燥のためにブーツプラターの底部とブーツ底面との間の隙間をクリアーするスレッドでブーツプラターの底部を覆う。無いよりはマシであるが、ブーツプラターは、洗浄し難く、集まった水を無くすのも煩わしい。
【発明の概要】
【発明が解決しようとする課題】
【０００４】
本発明は、濡れた履物から水を効果的に除去し、清掃し易い棚と履物ラックを提供することを目的とする。
【課題を解決するための手段】
【０００５】
本発明は、濡れた履物から水を除去する棚を提供する。この棚は、水を流すようにするガター（ｇｕｔｔｅｒ）を含む。棚は、ガターの一方に沿って配置された前方履物据え置き面、およびガターの他方に沿って配置された後方履物据え置き面をさらに含んでもよい。棚は、ガターの最低区間に形成され、棚の貫通チャネルを形成する排水口をさらに含んでもよい。
【０００６】
本発明は、履物ラックも提供し、この履物ラックは、脚を備える。履物ラックは、濡れた履物から水を除去するための一つ以上の棚をさらに含む。各々の棚は、水を流すためのガターを備え、ガターの一方に沿って配置された前方履物据え置き面およびガターの他方に沿って配置された後方履物据え置き面をさらに備えてもよい。棚の各々は、ガターの最低区間に形成され、棚の貫通チャネルを形成する排水口をさらに備えてもよい。
【図面の簡単な説明】
【０００７】
【図１】履物が置かれた本発明の棚の一例の断面図である。
【図２】本発明の棚の他例の断面図である。
【図３】図１の棚の斜視図である。
【図４】レセプタクルおよび固定機構を備えた棚が３個である履物ラックの斜視図である。
【図５】履物ラックの正断面図である。
【図６】本発明の他例の履物ラックの正断面図である。
【発明を実施するための形態】
【０００８】
図１〜２は本発明の一例の断面図であって、図１は履物が置かれている状態の棚１の断面図であり、図２は他の棚の断面図である。乾燥を要する全ての種類の履物：シューズ、ブーツ、ガーデン・クロッグス（ｇａｒｄｅｎ  ｃｌｏｇｓ）、冬ブーツ、スキーブーツ、スケートブーツなどをこの棚に入れることができる。「濡れた履物」は、全体や一部が濡れたもの、全体や一部が泥やホコリで覆われたもの、全体や一部が雪や氷で覆われたものを全て含む履物にみなさければならない。雪と氷は室内で溶けて水に変わるため、水と氷と雪は全て同一な概念で見れば良い。
【０００９】
棚１は濡れた履物から落ちる水が流れるガター２を含み、このガター２は図１〜２では断面が三角形であるが、多角形、半円形、曲線型などの他の形状を取ってもよい。図１〜２には示されていないが、ガター２は棚１の長さに沿って傾斜している。棚１の長さに沿うガター２の縦方向の傾きのため、濡れた履物から落ちる水が重力によってガター２の最下端部に向かって流れる。一方、ガターは、区間ごとに傾く方向が異なってもよい。水が効果的に流れるように、ガター２は障害物無しに滑らかなものが良い。ガター２の縦方向の傾きは、地面に対して１．５度〜３．０度の程度であってもよい。ガターの縦方向の傾きが１．５度より小さくてもよく、この場合、水は流れるが、雪と破片を片づけるには足りない。ガターの縦方向の傾きが３．０度より大きくてもよい。
【００１０】
棚１は前方履物据え置き面３および後方履物据え置き面４をさらに有し、前方履物据え置き面３および後方履物据え置き面４は、各々、ガター２の両側に位置し、ガターに向かって傾いている。図１〜２の後方履物据え置き面４のように前後方履物据え置き面３、４は線形に傾いているか、図１〜２の前方履物据え置き面３のように折れて傾いているか、または曲線形態に傾いていてもよい（図示せず）。
【００１１】
前後方履物据え置き面３、４とガター２は以下のような構成を取ることができる：前後方履物据え置き面３、４はガター２を基準に対称に傾き、ガター２はその長さに沿って傾く；前後方向履物据え置き面３、４は、濡れた履物を保管するために水平な面を形成。棚１の使用例によっては他の構成も可能である。例えば、後方履物据え置き面４や前方履物据え置き面３がその長さに沿ってガターの傾きを追従することもできる。
【００１２】
前後方履物据え置き面３、４に濡れた履物を置くと、濡れた履物の両端部分が前後方履物据え置き面に各々置かれる。前後方履物据え置き面３，４という表現は濡れた履物の前部分は前方履物据え置き面に、濡れた履物の踵は後方履物据え置き面に置くのに適していることを意味するだけであって、濡れた履物の方向を異にして棚１に保管してもよい。
【００１３】
図１は、棚１の幅のほぼ中央にガター２が位置した平坦な棚１を示しているが、他の構造も利用することができる。例えば、図２に示すように、棚が前方に向かって傾き、ガター２を棚の最前に位置させることもできる。または、棚１が後側に傾き、ガター２が後側の端や付近に位置することもできる。
【００１４】
図３は、図１の棚の上部斜視図である。ガター２の長さ方向の最下端部にガターによって集まった水を排出する排水口８がある。排水口８は、棚１を貫通して水を送り出すチャネルを形成する。ここでは、排水口が円形であるが、楕円形、正方形、長方形、スリットなどの他の形状を有してもよい。
【００１５】
前後方履物据え置き面３、４、ガター２および排水口８が協力して濡れた履物から落ちる水を排出し、その間に棚上の履物の下にエアーギャップができる。履物の下にできたエアーギャップを通して暖かい空気が自然対流で循環しつつ濡れた履物の乾燥をさらに促進する。
【００１６】
前後方履物据え置き面３、４の幅は様々なサイズの濡れた履物を乾燥できるように選択し、例えば、両方とも同じくするか、または互いに異なるようにしてもよい。これらの幅を乾燥させようとする濡れた履物の種類に合わせることもでき、例えば、子供用の履物とブーツ用としては短くし、スキーリゾートに使用する場合にはそれより遥かに長いスキーブーツを容易に収容できるようにその幅を遥かに大きくすることができる。
【００１７】
前方履物据え置き面３に支持壁５を設けることもでき、この場合、ガター２の反対側に前方履物据え置き面３に沿って支持壁５を位置させる。支持壁５は、棚１が接する壁面と濡れた履物との間の接触を防止する。
【００１８】
前方履物据え置き面３に棚１を壁面（図示せず）に固定するための固定手段６がさらに配置されることもできる。一方、棚１に脚を用いようとする場合、棚を脚に付着するための付着手段７を用いることもできる。各種の付着手段７を用いることができる（図１参照）。
【００１９】
図４は棚１が３個である履物ラック１０の部分斜視図であり、棚１ごとにレセプタクル１１および固定機構１２が取り付けられている。この履物ラック１０は、図示された実施形態に限定されるものではなく、棚１の個数がさらに多いかまたはさらに少なくてもよい。当業者であれば、各棚の排水口８を通して排出された水を受けて収集するのに他種類の手段を用いることもできるであろう。本実施形態のように、レセプタクル１１と固定機構１２を排水口８近くに棚１の下に配置することができるが、排水口８の周りに一つや複数の棚１にチューブやパイプを連結して水を受けて棚１から遠く位置したレセプタクル１１に送ることもできるであろう。図示されてはいないが、当業者であれば、レセプタクル１１、固定機構１２およびチューブを同時に用いることもできるであろう。例えば、チューブを上部棚１の排水口８から下部棚１に連結し、下部棚にレセプタクル１１および固定機構１２を設けることもできる。
【００２０】
図４に示すように、直六面体型レセプタクル１１を用い、前記レセプタクル１１が上端部に突起を有し、この突起が対応の固定機構１２に挿入されるようにすることができ、本実施形態においては、両者がスライド結合する。一方、レセプタクルを固定機構１２にネジ結合するかまたは付着してもよい。レセプタクルおよび固定機構は棚１の下に位置し、排水口８と一致して棚によって排出された水を収集する。
【００２１】
棚１の端部に固定壁９をさらに設けることができ、固定壁９の大きさは棚の断面全体をカバーする程度であるか（図４参照）、または外観と設置場所などに応じて、それより大きいかまたは小さくてもよい。
【００２２】
履物ラック１０に脚１３がさらにあり、便宜上、図４には一つだけが示されている。棚１は、固定手段６によって脚１３に固定されるが、着脱式などの他の方式で固定されてもよい。棚１を支持するための脚１３の個数は２個以上であってもよい。この脚１３は、前方履物据え置き面３に沿って、棚１各々の端部に、後方履物据え置き面４に沿って、棚の間にまたはこれらの組み合わせ方式で位置することができる。脚１３は、複数の棚を上下に配置する目的にのみ用いられてもよい。
【００２３】
しかし、本発明の履物ラック１０の他の特徴によれば、排水口８を通して排出された水を集めるのに少なくとも一つの脚１３を用いる。このために、一方の脚１３に中空チャネル１６を形成する。図５〜６は履物ラック１０の部分正断面図であり、一方の脚１３を排水口８を通して排出された水を集めるのに用いる二つの例を示す。脚１３は、棚１の端部に沿って位置する。しかし、本実施形態はあくまでも例示したものに過ぎず、これに限定されるものではない。例えば、脚１３を前方履物据え置き面３に沿って、後方履物据え置き面４に沿って、または棚１の間に配置してもよい。
【００２４】
図６の実施形態においては、排水チューブ１４を排水口８の付近で棚１の下に付着して、排水口により排出された水を脚１３の内部でレセプタクル１１に集めることを示す。排水チューブ１４は、脚１３内に挿入され、レセプタクル１１の上や内に連結される。図５の実施形態においては、排水チューブ１４は、排水口８に固定され、継ぎ目なしに脚１３に挿入される。排水チューブ１４を通して排出された水は脚１３の中空チャネル１６に入る。集まった水は、中空チャネル１６内から漏斗１５に入った後にレセプタクル１１内に集まる。漏斗１５は、重力によって中空チャネル１６内で落下する水が飛ぶのを防止したりもする。
【００２５】
棚１と履物ラック１０の要素に、濡れた履物を支持する程度の強度を持って水に抵抗性を有しさえすれば、いかなる材料を用いてもよい。
【図１】
2020506024.tif 000003
【図２】
2020506024.tif 000004
【図３】
2020506024.tif 000005
【図４】
2020506024.tif 000006
【図５】
2020506024.tif 000007
【図６】
2020506024.tif 000008
【国際調査報告】
2020506024.tif 000009
2020506024.tif 000010